(57)【要約】【課題】ゴルフスイング誘導装置の提供。【解決手段】ゴルフスイング方向に平行な２本のレーザービームを出力するレーザービーム出力部、および室外太陽光の照射量に比例してレーザービームの厚さを調節するために前記レーザービーム出力部の出力を制御する制御部を含む。したがって、室外太陽光の照射量に応じてレーザービームの強度を調節することができ、センサーが感知した太陽光の照射量に応じて、制御部は、レーザーの出力を調節して、室内では肉眼識別が可能な弱いレーザービームを出力し、昼間および野外環境では肉眼識別が可能な強いレーザービームを出力して、室内、昼間および野外環境でゴルフスイングを誘導するという利点がある。【選択図】図１
2020011040.tif 000002
【特許請求の範囲】
【請求項１】
ゴルフスイング方向に平行な２本のレーザービームを出力するレーザービーム出力部、および
室外太陽光の照射量に比例してレーザービームの厚さを調節するために前記レーザービーム出力部の出力を制御する制御部を含む、ゴルフスイング誘導装置。
【請求項２】
前記レーザービーム出力部は、レーザービームを出力するレーザー、前記レーザービームを反射して集光する反射板、集光されたレーザービームを一定の厚さのビームに変換する変換レンズ、および前記変換レンズのビームを平行出力する平行レンズを含む、請求項１に記載のゴルフスイング誘導装置。
【請求項３】
前記レーザービーム出力部は、レーザービームの出力に応じて発生する熱の空冷による放熱のために互いに一定距離離隔して構成された多数のレーザー、
前記多数のレーザーのレーザービームを受光レンズに集める光ファイバ、
前記受光レンズのビームを一定の厚さのビームに変換する変換レンズ、および前記変換レンズのビームを平行出力する平行レンズを含む、請求項１に記載のゴルフスイング誘導装置。
【請求項４】
前記変換レンズは、レーザービームを拡張する拡張レンズ、レーザービームを縮小する縮小レンズ、およびレーザービームを屈折させるパウエルレンズの少なくとも一つである、請求項２または請求項３に記載のゴルフスイング誘導装置。
【請求項５】
前記制御部は、室外太陽光の照射量を感知するセンサー、および前記センサーによって感知された太陽光の照射量に比例してレーザービームの厚さを計算する計算部を含み、
計算されたレーザービームの厚さに対応する前記レーザービーム出力部に構成されたレーザーの出力を制御する、請求項１に記載のゴルフスイング誘導装置。
【請求項６】
前記制御部は、オン／オフ信号を出力するリモートコントローラを含み、
前記リモートコントローラのオン／オフ信号に応じてレーザービーム出力部を制御する、請求項１に記載のゴルフスイング誘導装置。
【請求項７】
前記レーザービーム出力部と前記制御部へ電源を供給する充電式バッテリー、および
前記充電式バッテリーに電源の充電が可能なバッテリー充電部をさらに含み、
前記制御部は、バッテリーの寿命をチェックし、寿命が尽きるとバッテリーの充電を要求するＬＥＤ素子を含む、請求項１に記載のゴルフスイング誘導装置。
【請求項８】
手動で前記レーザービーム出力部のビーム出力角度を制御する角度制御部をさらに含み、
前記角度制御部は、前記レーザービーム出力部の角度を手動操作するリンクを有する、請求項１に記載のゴルフスイング誘導装置。
【発明の詳細な説明】
【技術分野】
【０００１】
本発明は、ゴルフスイング誘導装置に係り、より詳細には、ゴルフスイング時に正しい方向にスイングをするように補助するゴルフスイング誘導装置に関する。
【背景技術】
【０００２】
ゴルフスイング誘導装置は、ゴルフスイング時にスイング方向を指示するレーザービームを出力する。ゴルフスイング誘導装置は、フィールドに置かれ、２本の平行なレーザービームを出力して、ユーザーがレーザービームに沿ってスイング練習を行うことができる。従来のゴルフスイング誘導装置は、陰または室内での動作が円滑であるが、太陽光が直接降り注ぐ昼間および野外の場合、レーザービームが肉眼で確認されないためスイング補助ツールとして動作できないという問題点がある。太陽光野外環境でスイング補助ツールとしてのゴルフスイング誘導装置がサポートされる場合、レーザービームの強度を高める必要があるが、現在のレーザービームは、太陽光野外環境で識別が可能な強いレーザービームを生成していない。昼間および野外環境で肉眼にて識別可能なレーザービームを出力するゴルフスイング誘導装置が求められる。
【先行技術文献】
【特許文献】
【０００３】
【特許文献１】韓国公開特許第１０−２０１２−００５８１１０号（携帯が可能なゴルフ用レーザー方向指示装置）
【特許文献２】韓国登録特許第１０−０８２６２９０号（パッティングの精度を向上させるゴルフ用パター）
【特許文献３】韓国公開特許第１０−２０１０−００９８２８２号（レーザーゴルフ整列装置及び方法）
【発明の概要】
【発明が解決しようとする課題】
【０００４】
本発明は、かかる問題点を解決するためのもので、その目的は、室外太陽光の照射量に比例してレーザービームを調節するゴルフスイング誘導装置を提供することにある。
【０００５】
また、本発明の他の目的は、多数のレーザービームを集めて変換出力するゴルフスイング誘導装置を提供することにある。
【０００６】
また、本発明の別の目的は、太陽光の照射量を感知して室内、昼間および野外環境で肉眼にて識別できるようにレーザーの出力を調節するゴルフスイング誘導装置を提供することにある。
【０００７】
また、本発明の別の目的は、太陽光の照射量が一定のレベルを超えるとレーザーの出力を遮断するゴルフスイング誘導装置を提供することにある。
【課題を解決するための手段】
【０００８】
上記目的を達成するための本発明は、ゴルフスイング方向に平行な２本のレーザービームを出力するレーザービーム出力部、および室外太陽光の照射量に比例してレーザービームの厚さを調節するためにレーザービーム出力部の出力を制御する制御部を含む。
【０００９】
また、レーザービーム出力部は、レーザービームを出力するレーザー、レーザービームを反射して集光する反射板、集光されたレーザービームを一定の厚さのビームに変換する変換レンズ、および変換レンズのビームを平行出力する平行レンズを含む。
【００１０】
また、レーザービーム出力部は、レーザービームの出力に応じて発生する熱の空冷による放熱のために互いに一定距離離隔して構成された多数のレーザー、多数のレーザーのレーザービームを受光レンズに集める光ファイバ、受光レンズのビームを一定の厚さのビームに変換する変換レンズ、および変換レンズのビームを平行出力する平行レンズを含む。
【００１１】
また、変換レンズは、レーザービームを拡張する拡張レンズ、レーザービームを縮小する縮小レンズ、およびレーザービームを屈折させるパウエルレンズの少なくとも一つである。
【００１２】
また、制御部は、室外太陽光の照射量を感知するセンサー、およびセンサーによって感知された太陽光の照射量に比例してレーザービームの厚さを計算する計算部を含み、計算されたレーザービームの厚さに対応するレーザービーム出力部に構成されたレーザーの出力を制御する。
【００１３】
また、センサーが感知した太陽光の照射量に応じて、制御部は、レーザーの出力を調節して、室内では肉眼識別が可能な弱いレーザービームを出力し、昼間および野外環境では肉眼識別が可能な強いレーザービームを出力する。
【００１４】
また、センサーが感知した太陽光の照射量が一定のレベルを超えると、制御部は、レーザーの出力を遮断し、スイング練習停止をアラームする。太陽光の照射量があまり大きい場合には、ゴルフスイング練習が中断することにより、ゴルフスイング誘導装置の耐久性が高くなり、動作環境が保護され得る。
【００１５】
また、制御部は、オン／オフ信号を出力するリモートコントローラを含み、リモートコントローラのオン／オフ信号に基づいてレーザービーム出力部を制御する。
【００１６】
また、レーザービーム出力部と制御部へ電源を供給する充電式バッテリー、およびバッテリーに電源の充電が可能なバッテリー充電部をさらに含み、制御部は、バッテリーの寿命をチェックし、寿命が尽きるとバッテリーの充電を要求するＬＥＤ素子を含む。
【００１７】
また、レーザービーム出力部と制御部へ電源を供給するバッテリー、およびバッテリーを補助する余剰バッテリーをさらに含み、制御部は、バッテリーの寿命をチェックし、寿命が尽きるとバッテリーの交換を要求し、バッテリー交換時に余剰バッテリーの電源を利用し、バッテリーの交換後にはバッテリーの電源を利用する。
【００１８】
また、手動でレーザービーム出力部のビーム出力角度を制御する角度制御部をさらに含み、角度制御部は、レーザービーム出力部の角度を手動操作するリンクを有する。
【発明の効果】
【００１９】
上述したような本発明に係るゴルフスイング誘導装置を用いる場合には、室外太陽光の照射量に応じてレーザービームの強度を調節することができる。
【００２０】
また、太陽光の照射量に応じて室内、昼間および野外環境で肉眼識別が可能なレーザービームを提供してゴルフスイングを誘導することができるという利点がある。
【００２１】
また、太陽光の照射量が一定のレベルを超えると、レーザーの出力を遮断して強度の強いレーザービームによる事故の発生を予防するという利点がある。
【図面の簡単な説明】
【００２２】
【図１】ゴルフスイング誘導装置の構成を示す例示図である。
【図２】レーザービーム出力部１００の構成を示す例示図である。
【図３】レーザービーム出力部１００の他の実施例を示す例示図である。
【図４】制御部２００の構成を示すブロック図である。
【図５】制御部２００の他の実施例を示すブロック図である。
【図６】角度制御部４００の構成を示す例示図である。
【図７】ゴルフスイング誘導装置の一実施例を示す例示図である。
【図８】ゴルフスイング誘導装置の前面と背面を示す例示図である。
【図９】ミラーコーティングレンズを有するレーザーダイオードを示す例示図である。
【発明を実施するための形態】
【００２３】
本明細書で使用した用語は、単に特定の実施例を説明するために使用されたもので、本発明を限定するものではない。単数の表現は、文脈上明白に異なる意味ではない限り、複数の表現を含む。本明細書において、「含む」または「有する」などの用語は、明細書上に記載された特徴、数字、段階、動作、構成要素、部品またはこれらの組み合わせが存在することを指定しようとするもので、一つまたはそれ以上の他の特徴、数字、段階、動作、構成要素、部品またはこれらの組み合わせの存在または付加の可能性を予め排除しないものと理解されるべきである。
【００２４】
特に他に定義しない限り、技術用語や科学用語を含んでここで使われるすべての用語は、本発明の属する技術分野における通常の知識を有する者によって一般に理解されるのと同じ意味を持っている。一般に使われる辞典に定義されている用語は、関連技術の文脈上で持つ意味と一致する意味を持つものと解釈されなければならず、本出願で明らかに定義しない限り、理想的または過度に形式的な意味に解釈されない。
【００２５】
以下、本発明に係る好適な実施例を添付図面を参照して詳細に説明する。
【００２６】
図１はゴルフスイング誘導装置の構成を示す例示図である。
【００２７】
ゴルフスイング誘導装置は、ゴルフスイング方向に平行な２本のレーザービームを出力するレーザービーム出力部１００、および室外太陽光の照射量に比例してレーザービームの厚さを調節するためにレーザービーム出力部１００の出力を制御する制御部２００を含む。
【００２８】
レーザービーム出力部１００は、ゴルフスイング方向に平行な２本のレーザービームを出力する。レーザービーム出力部１００は、ユーザーがゴルフスイング誘導装置をフィールドに置いた方向に合わせて２本のレーザービームを出力する。ゴルフスイング誘導装置がフィールドに正しく置かれるときにレーザービームを出力するように安全装置が動作する。安全装置は、ゴルフスイング誘導装置がフィールドに正しく置かれることを感知してオン／オフスイッチによってレーザービームが出力されるように活性化する。
【００２９】
制御部２００は、室外太陽光の照射量に比例してレーザービームの厚さを調節するためにレーザービーム出力部１００の出力を制御する。室外太陽光の強度が強ければ、弱い強度のレーザービームは肉眼で確認することが不可能である。レーザービームが肉眼で確認できるように、制御部２００はレーザービームの出力を制御する。
【００３０】
図２はレーザービーム出力部１００の構成を示す例示図である。
【００３１】
レーザービーム出力部１００は、レーザービームを出力するレーザー１１０、レーザービームを反射して集光する反射板１２０、集光されたレーザービームを一定の厚さのビームに変換する変換レンズ１３０、および変換レンズ１３０のビームを平行出力する平行レンズ１４０を含む。
【００３２】
レーザー１１０はレーザービームを出力する。レーザービーム出力部１００に使用されるレーザー１１０は、拡散が一定レベル以上であり得る。拡散のあるレーザー１１０は、反射板１２０によって集光される必要がある。反射板１２０は、拡散したレーザービームを集光して出力する。
【００３３】
反射板１２０は、レーザービームを反射して集光する。反射板１２０は、レーザービームを集光して変換レンズ１３０へ伝達する。
【００３４】
変換レンズ１３０は、集光されたレーザービームを一定の厚さのビームに変換する。変換レンズ１３０は、レーザービームを拡張する拡張レンズ、レーザービームを縮小する縮小レンズ、およびレーザービームを屈折させるパウエルレンズの少なくとも一つである。
【００３５】
平行レンズ１４０は、変換レンズ１３０のビームを平行出力する。
【００３６】
図３はレーザービーム出力部１００の他の実施例を示す例示図である。
【００３７】
レーザービーム出力部１００は、レーザービームの出力に応じて発生する熱の空冷による放熱のために互いに一定距離離隔して構成された多数のレーザー１１０、多数のレーザー１１０のレーザービームを受光レンズに集める光ファイバ１５０、受光レンズのビームを一定の厚さのビームに変換する変換レンズ１３０、および変換レンズ１３０のビームを平行出力する平行レンズ１４０を含む。
【００３８】
多数のレーザー１１０は、レーザービームの出力に応じて発生する熱の空冷による放熱のために互いに一定距離離隔して構成される。他の実施例として、空冷に加えて、レーザー１１０にヒートシンクが装着されてヒートシンクとアルミニウム放熱板との間で熱交換を介して放熱することができる。アルミニウム放熱板は外部に露出する。
【００３９】
光ファイバ１５０は、多数のレーザー１１０のレーザービームを受光レンズに集める。光ファイバ１５０とレーザー１１０との間に入力レンズが置かれてもよい。入力レンズは、レーザー１１０のビームを光ファイバ１５０に入力する。
【００４０】
変換レンズ１３０は、受光レンズのビームを一定の厚さのビームに変換する。変換レンズ１３０は、レーザービームを拡張する拡張レンズ、レーザービームを縮小する縮小レンズ、およびレーザービームを屈折させるパウエルレンズの少なくとも一つである。
【００４１】
平行レンズ１４０は変換レンズ１３０のビームを平行出力する。
【００４２】
図４は制御部２００の構成を示すブロック図である。
【００４３】
制御部２００は室外太陽光の照射量を感知するセンサー２１０、およびセンサー２１０によって感知された太陽光の照射量に比例してレーザービームの厚さを計算する計算部２２０を含み、計算されたレーザービームの厚さに対応するレーザービーム出力部１００に構成されたレーザー１１０の出力を制御する。
【００４４】
センサー２１０は、室外太陽光の照射量を感知する。計算部２２０は、センサー２１０によって感知された太陽光の照射量に比例してレーザービームの厚さを計算する。制御部２００は、計算されたレーザービームの厚さに対応するレーザービーム出力部１００に構成されたレーザー１１０の出力を制御する。制御部２００がレーザー１１０の出力を制御してレーザービームの厚さを調節する。
【００４５】
実施例として、センサー２１０が感知した太陽光の照射量に応じて、制御部２００は、レーザー１１０の出力を調節して、室内では肉眼識別が可能な弱いレーザービームを出力し、昼間および野外環境では肉眼識別が可能な強いレーザービームを出力する。
【００４６】
他の実施例として、センサー２１０が感知した太陽光の照射量が一定のレベルを超えると、制御部２００は、レーザー１１０の出力を遮断し、スイング練習停止をアラームする。太陽光の照射量があまり大きい場合、ゴルフスイング練習が中断することにより、ゴルフスイング誘導装置の耐久性が高くなり、動作環境が保護され得る。また、強い強度のレーザービームによる安全事故の発生を予防することができる。
【００４７】
図５は制御部２００の他の実施例を示すブロック図である。
【００４８】
制御部２００は、オン／オフ信号を出力するリモートコントローラ２３０を含み、リモートコントローラ２３０のオン／オフ信号に応じてレーザービーム出力部１００を制御する。
【００４９】
リモートコントローラ２３０はオン／オフ信号を出力する。制御部２００は、リモートコントローラ２３０のオン／オフ信号に応じてレーザービーム出力部１００を制御する。
【００５０】
実施例として、ゴルフスイング誘導装置は、レーザービーム出力部１００と制御部２００に電源を供給する充電式バッテリー３００、およびバッテリー３００に電源の充電が可能なバッテリー充電部３１０をさらに含み、制御部２００は、バッテリーの寿命をチェックし、寿命が尽きるとバッテリーの充電を要求するＬＥＤ素子を含む。
【００５１】
他の実施例として、ゴルフスイング誘導装置は、レーザービーム出力部１００と制御部２００へ電源を供給するバッテリー３００、およびバッテリー３００を補助する余剰バッテリー３１０を含み、制御部２００は、バッテリーの寿命をチェックし、寿命が尽きるとバッテリーの交換を要求し、バッテリー３００の交換時に余剰バッテリー３１０の電源を利用し、バッテリー３００の交換後にはバッテリーの電源を利用する。
【００５２】
バッテリー３００は、補助電源として太陽電池パネルを有することができる。太陽電池パネルは、太陽光を用いて電源を生成し、外部ケースに露出する。強い太陽光の下にレーザービームは強度が大きくなり、これにより電源消耗が増加する。電源消耗の増加に応じて、太陽電池パネルはバッテリー３００に補助として電源をサポートする。太陽電池パネルによる電源がレーザービーム出力部１００に供給される。
【００５３】
図６は角度制御部４００の構成を示す例示図である。
【００５４】
ゴルフスイング誘導装置は、手動でレーザービーム出力部１００のビーム出力角度を制御する角度制御部４００を含み、角度制御部４００は、レーザービーム出力部１００の角度を手動操作するリンク４１０を有する。リンク４１０は、ゴルフスイング誘導装置におけるレーザービーム出力部１００の角度を手動操作する。ゴルフスイング誘導装置はフィールドに置かれ、レーザービーム出力部１００はリンク４１０によって角度調節される。リンク４１０は、レーザービーム出力部１００が角度調節されるように回転させる。他の実施例として、リンク４１０はケースの両側面に構成できる。リンク４１０に連結された脚が角度調節されてゴルフスイング誘導装置が傾く。
【００５５】
図７はゴルフスイング誘導装置の一実施例を示す例示図である。
【００５６】
一実施例として、ゴルフスイング誘導装置は、ゴルフスイング方向に平行な２本のレーザービームを出力するレーザービーム出力部１００、手動でレーザービーム出力部１００のビーム出力角度を制御する角度制御部４００、レーザービーム出力部１００の熱を放熱するヒートシンク５００、およびレーザービーム出力部１００に電源を供給する太陽電池パネル６００を含む。
【００５７】
レーザービーム出力部１００は、ゴルフスイング方向に平行な２本のレーザービームを出力し、角度制御部４００は、手動でレーザービーム出力部１００のビーム出力角度を制御し、ヒートシンク５００は、レーザービーム出力部１００の熱を放熱し、太陽電池パネル６００は、レーザービーム出力部１００に電源を供給する。
【００５８】
図８はゴルフスイング誘導装置の前面と背面を示す例示図である。
【００５９】
次に、ゴルフスイング誘導装置の前面と背面を説明する。１００はレーザービーム出力部１００がレーザーダイオード形態で実施されたものであり、２はメインスイッチであり、３はリモートスイッチであり、４は光センサーであり、５は充電コネクタであり、５００はヒートシンク（図７に示されている）であり、６００は太陽電池パネルであり、４００は角度制御部４００が脚形態で実施されたものであり、Ａは前面部のケースであり、Ｂは背面部のケースであり、Ｃは充電用バッテリーであり、ＤはＰＣＢ基板である。
【００６０】
図９はミラーコーティングレンズを有するレーザーダイオードを示す例示図である。
【００６１】
レーザーダイオード１１１から発生した円形波光源１１２が、ミラーコーティングされたレンズ１１３を介してライン型１１４に変換される。ライン型１１４光源が変換レンズ１３０へ伝達される。
【００６２】
変換レンズ１３０は、集光されたレーザービームを一定の厚さのビームに変換する。変換レンズ１３０は、レーザービームを拡張する拡張レンズ、レーザービームを縮小する縮小レンズ、およびレーザービームを屈折させるパウエルレンズの少なくとも一つである。
【００６３】
変換レンズ１３０には、エキスパンダーレンズ（Ｅｘｐａｎｄｅｒ  Ｌｅｎｓ）、コリメーションレンズ（Ｃｏｌｌｉｍａｔｉｏｎ  Ｌｅｎｓ）、シリンドリカルレンズ（Ｃｙｌｉｎｄｒｉｃａｌ  Ｌｅｎｓ）、パウエルレンズ（Ｐｏｗｅｌｌ  Ｌｅｎｓ）、ラインマンレンズ（Ｌｉｎｅｍａｎ  Ｌｅｎｓ）が使用できる。ところが、変換レンズ１３０が使用される場合、光の減衰現象を誘発して太陽光の下で認識できないことがある。
【００６４】
ミラーコーティングレンズ１１３を有するレーザーダイオード１１１は、レンズに光の入／出口部を除く面をミラー処理して光の減衰を防止し、増幅する。増幅された光がレンズを介してラインに拡散し、光量の減衰のないレーザーラインを形成することができる。
【００６５】
以上をまとめると、ゴルフスイング誘導装置は、室外太陽光の照射量に応じてレーザービームの強度を調節することができる。
【００６６】
以上、本発明の好適な実施例を参照して説明したが、当該技術分野の熟練した当業者は、下記の特許請求の範囲に記載された本発明の思想及び領域から逸脱することなく、本発明に多様な修正及び変更を加え得ることを理解することができるだろう。
【符号の説明】
【００６７】
１００    レーザービーム出力部
１１０    レーザー
１２０    反射板
１３０    変換レンズ
１４０    平行レンズ
２００    制御部
２１０    センサー
２２０    計算部
２３０    リモートコントローラ
３００    バッテリー
３１０    余剰バッテリー充電部
４００    角度制御部
【図１】
2020011040.tif 000003
【図２】
2020011040.tif 000004
【図３】
2020011040.tif 000005
【図４】
2020011040.tif 000006
【図５】
2020011040.tif 000007
【図６】
2020011040.tif 000008
【図７】
2020011040.tif 000009
【図８】
2020011040.tif 000010
【図９】
2020011040.tif 000011